(57)【要約】【課題】電気器具類から発する人体に有害な電磁波による被爆を、ほぼ確実に防止できる保護具に使用するための電磁波透過防止積層体を提供するものである。【解決手段】通気性の不織布などの熱可塑性樹脂シ−ト１ａ、１ｂと、高温炭化により得られ電磁波吸収能に優れた高電導性の竹炭板２ａ、２ｂ、２ｃと、電磁波反射能が良好なアルミニウム板等の電磁波反射性金属板３とからなり、竹炭板２ａ、２ｂ、２ｃと電磁波反射性金属板３とを、熱過塑性樹脂シ−トと竹炭板界面の界面解離することなく積層してなる電磁波透過防止用積層体。【選択図】        図  1 【実用新案登録請求の範囲】
【請求項１】
竹炭板と電磁波反射性金属板とを積層化してなることを特徴とする電磁波透過防止用積層体。
【請求項２】
上記竹炭板凹面が電磁波反射性金属板に対向して積層化してなることを特徴とする請求項１に記載の電磁波透過防止用積層体。
【請求項３】
上記竹炭板と電磁波反射性金属板とが積層化してなる積層体であり、竹炭板の電気抵抗値が３０Ω/ｃｍ以下であることを特徴とする請求項１に記載の電磁波透過防止用積層体。
【請求項４】
上記竹炭板の片側凸面を熱可塑性樹脂シ−トで熱融着してなるものと、
電磁波反射性金属板片側が熱可塑性合成樹脂シ−トで熱融着してなるものとが、
熱融着していない竹炭板凹面側と電磁波反射性金属板とを互いに対向して積層化してなることを特徴とする請求項１に記載の電磁波透過防止用積層体。
【請求項５】
上記電磁波反射性金属板を、アルミニウム板、アルミニウム箔、アルミニウム合金網体、若しくはアルミニウム合金網箔とすることを特徴とする請求項１に記載の電磁波透過防止用積層体。
【請求項６】
上記竹炭板と電磁波反射性金属板とを熱可塑性樹脂シ−トで覆って積層させた状態で封止し、積層化させたことを特徴とする電磁波透過防止用積層体。
【請求項７】
上記熱可塑性樹脂シ−トに不織布を指定することを特徴とする請求項６に記載の電磁波透過防止用積層体。
【請求項８】
請求項１に記載の電磁波透過防止用積層体を用いることを特徴とする電気器具類用防護具。
【請求項９】
請求項２乃至５に記載の電磁波透過防止用積層体を用いることを特徴とするパ−ソナルコンピュ−タの電磁波防護具。
【考案の詳細な説明】
【技術分野】
【０００１】
本考案は、電気器具、電気機械類から発する電磁波を吸収並びに反射するものであり、詳しくは人体に有害ではないかと問題視されている電磁波から身を守る防護具に使用する電磁波透過防止用積層体に関するものである。
【背景技術】
【０００２】
従来から、黒鉛は電気電導性にすぐれた擬似黒体として、電磁波吸収能があるとされてきた。従って電磁波から身を守る防護具に使用する電磁波透過防止板に黒鉛を用いるための黒鉛成形体、あるいはこの黒鉛粉末を基材に塗布したものは知られている。
【考案の開示】
【考案が解決しようとする課題】
【０００３】
上記した従来技術は、黒鉛を電磁波吸収体として用いるので、電磁波吸収体としての黒鉛成形板を製作する手段、あるいはこれを粉末化する加工手段および塗布する塗装手段などが製作工程が煩雑でコスト的に問題があった。
【課題を解決するための手段】
【０００４】
請求項1に記載の本考案は、竹炭板と電磁波反射性金属板とを積層化する電磁波透過防止用積層体であって、この積層体を用いた防護具が、人体に有害ではないかと問題視されている電磁波から身を守る効果を奏するものである。
【０００５】
請求項２に記載の本考案は、竹炭板と電磁波反射性金属板とを用いた積層体を防護具に使用すると、人体保護部位により馴染みやすくできる効果をも奏するものである。
【０００６】
請求項３に記載の本考案は、竹炭板板の電気抵抗値を限定することにより、電磁波吸収性能を徹底して、例えば人体胸部の完全な防護を図れる。
【０００７】
請求項４に記載の本考案は、積層体を防護具に使用する際の実用性を考慮し、徹底して人体保護部位により馴染みやすくすることを提案するものである。
【０００８】
請求項５に記載の本考案は、電磁波反射性金属板をアルニウム板、アルミニウム箔、
アルミニウム合金網体、若しくはアルミニウム合金網箔とし、電磁波透過防止用積層体製作時の加工性改良を図るものである。
【０００９】
請求項６に記載の本考案は、積層体の外皮を工夫したもので、熱可塑性樹脂シ−トで封止することで、積層構造を損ねることなく、防護具に使用できるものである。
【００１０】
請求項７に記載の本考案は、熱可塑性樹脂シ−トに不織布を指定するので、防護具に使用する場合に、人体保護部位との馴染みが、従来より一層改善できる。
【００１１】
請求項８に記載の本考案は、積層体を電気器具に用いて、電気器具よりの電磁波洩れ防止等を確実にできる。
【００１２】
請求項９に記載の本考案は、積層体をパ−ソナルコンピュ−タの電磁波防護具とすることによって、パ−ソナルコンピュ−タよりの不要な電磁波輻射を防止したり、パ−ソナルコンピュ−タから周辺機器への悪影響を抑える効果を発揮させる。
【考案の効果】
【００１３】
本考案は、電磁波被爆を避けるための防護具に用いる積層体に、既成品の竹炭を採用することができるので、電磁波透過防止積層体製作が容易である。しかも本考案は、竹炭板と電磁波反射性金属板としてのアルミニウム板とを、界面解離を起こさせずに積層させことができ、その上に人体に装着する防護具に用いる積層板として軽量薄型化が可能で、優れた実用的な防護具を提供できる効果がある。
【考案を実施するための最良の形態】
【００１４】
本考案は、上記した黒鉛を電磁波吸収体として用いる場合の問題点を解消するために、提案するものである。本発明は、黒鉛ではなく、天然の竹を炭化させて得られ、一種の多孔体セラミクス化した竹炭を、電磁波吸収体として採用するものである。この竹炭は、天然の竹を炭化させる段階で板状にして焼成したものである。そのまま貼り付けることにより電磁波吸収体パネルが容易に製作できる。貼り付けは竹炭を着火温度以下の120〜150℃で加熱したものを通気性を有する熱可塑性樹脂シ−トである不織布（以下、樹脂シ−トと称す）あるいはパネル上に置き、加圧することにより接着剤無しでも簡単に積層化できる。なお、電磁波反射性金属板であるアルミニウム板をパネルとして竹炭と組合せると、完全には竹炭で吸収されずに残存する場合であっても、電磁波が透過しようとするのを反射排除でき被爆量をより一層減少させることができる。
【００１５】
したがって本考案は、竹炭を使用するので、従来黒鉛等を使用したために生じていた製作・加工が困難という問題を解決できる。また本考案は、材質が天然の竹を用いるから、従来の黒鉛等よりも軽量であり、身に付ける防護具用の素材として、より好適である。
【００１６】
上記した竹炭は、電磁波吸収体として少なくとも850℃以上の高温炭化されたものが使用に適し、電気抵抗値のレベルとして30Ω/ｃｍ以下の高電導竹炭であることが必要である。この竹炭は、対象となる電磁波の全帯域に対する吸収レベルとして70％をクリア−できる。なお、より好ましい効果を期待する場合は、10Ω/ｃｍ以下で全帯域に対する吸収レベルは80％をクリア−できることがわかった。このことから竹炭であれば全てのものが有効となるのではなく、高温炭化で電気電導度の高いものが有効である。本考案は、この電気電導性にすぐれた竹炭板を用い、製作容易で、コスト的にも安価で電磁波から完全に身を守る防護具用の電磁波透過防止用積層体（以下、積層体と称す）を提供しようとするものである。
【００１７】
上記目的を達成するために、本考案における積層体は、第一工程で条件として、用いられる防護具に対応できるように、積層体の大きさを決める。その大きさにより積層される高電導の竹炭板サイズと枚数、および電磁波反射性金属板としてのアルミニウム板の大きさが決まる。積層されるアルミニウム板はやや大きめでよい。一方、樹脂シ−トは、竹炭板、アルミニウム板を覆い、防護具への取付けなどのために接着代が必要で、積層する竹炭板の枚数とアルミニウム板のサイズより、大きめなものを2枚用意する。第二工程では、樹脂シ−ト上に、あらかじめ大気中で120〜150℃に加熱した加熱竹炭板を竹炭凸面が、積層体の装着面側となるフィルム面に接するよう熱融着させる。竹炭数枚を接着するにあたり、接着代として幅15〜20ｍｍ外側端部に残し加圧接着する。また、一方加熱したアルミニウム板も同様に樹脂シ−ト上に接着代を残し加圧接着する。なお、竹炭凸面を樹脂シ−ト上に接着するのは、例えばパ−ソナルコンピュ−タ（以下パソコンと略称する）を使用する際、胸部に防護具を肌身につける場合に、凸面さえ固着されておれば、竹炭板同士が不規則の重なる不都合を防止して、換言すれば、積層構造を損ねることなく防護具に使用できるからである。このようにして得られた本考案の積層体を防護具に使用すると、竹炭板の凹面は自在に曲面胸部に密着し易くなる。
【００１８】
第三工程として上記竹炭接着樹脂電磁波吸収体シ−トとアルミニウム接着樹脂シ−トとをお互いのフィルム面が内側になるよう重ね合わせ第一工程で説明した接着代を、電熱線加熱方式のシ−ラ−で熱融着させ一体化させる。
【００１９】
アルミニウム板は強度的には、厚さ100μｍ程度が好ましいが、例えばパソコン等の電磁遮蔽板として使用する場合、作業性も考え、防護具の装着部位として人体胸部を想定する場合、肌身への馴染みを考えると、10μｍ程度の市販の樹脂やアルミニウムの箔でも充分である。また、アルミニウム板に限らず、電磁波反射性金属板の製作時の加工性等を考慮して、例えばアルミニウム合金網体、或いはアルミニウム合金網を圧潰したアルミニウム合金網箔等としても差し支えない。
【実施例】
【００２０】
本考案の実施例について図面を参照して説明する。
図１は本考案の一実施例を示す一部切り欠き上面図で、熱可塑性樹脂シ−ト１ａ、１ｂに、例えば酢酸ビニ−ル不織布を用いた場合である。樹脂シ−トの内側面は、略4×7ｃｍの5Ω/ｃｍ以下の高電導竹炭板２ａ、２ｂ、２ｃの各凸面が熱融着個所２ａ’、２ｂ’、２ｃ’で９枚とも接着固定されている。また、この竹炭板の下側には、同一材質の樹脂シ−トが配置される。この樹脂シ−トで下面が熱融着された厚さが12μｍのアルミニウム板３が竹炭板凹面に対向している。なお、上記竹炭板２ａ、２ｂ、２ｃの凹面とアルミニウム板３の対向面同士は、身体保護部位曲面への馴染みを考慮して、接着させない。よって、本実施例では、積層構成形態として、表面から、樹脂シ−ト１ａ、竹炭板２ａ、２ｂ、２ｃ、アルミニウム板３、樹脂シ−ト１ｂ（裏面側）の四層からなる。樹脂シ−ト１ａ、１ｂの樹脂四方端面接着代部分１ａ’、1ｂ’は、電熱線加熱方式のシ−ラ−により熱融着され、積層板として一体化する。
【００２１】
図２は、図１のＡ―Ａ線切断断面図である。図３は、図１のＢ―Ｂ線切断断面図である。上記詳細説明の通り、積層構成形態は、表面から、樹脂シ−ト１ａ、竹炭板２ａ、２ｂ、２ｃ、アルミニウム板３、および樹脂シ−ト１ｂ（裏面側）からなっている。なお、図２及び図３で、微小間隙ｇは、竹炭板の湾曲によって生じている。
【００２２】
樹脂シ−ト１ａ、１ｂは、通気性の不織布を使用している。この不織布とすることにより、従来の黒鉛が肺、気管支、眼球などに及ぼした害が徹底して排除できる。
この不織布は上記した酢酸ビニ−ルの他に、繊維組成としては、例えば、ポリエステル45％、ナイロン15％、レ−ヨン41％のものでも適切である。そして竹炭板２ａ、２ｂ、２ｃには特徴の一つとして調湿作用があるので、樹脂シ−トと竹炭板を接着したことにより、次の効果がある。すなわち、調湿作用を有する竹炭板２ａ、２ｂ、２ｃが呼吸作用を円滑にするので、樹脂シ−ト１ａ、１ｂと竹炭板２ａ、２ｂ、２ｃ界面の接着強度を維持できるばかりか、界面解離の防止効果を発揮する。
【００２３】
本考案は、パソコン使用時の胸部に装着する防護具とした上記実施例の他に、例えば、首部、肩部、腹部、手部等の身体保護部位にも適用することができ、各部位に対応させて、例えば図４に示すように、身体保護部位４に密着可能な竹炭板の凹面、凸面を設定する。この際、段落[0021]で述べた微小間隙ｇは、密着して解消される。
【００２４】
また本考案は、積層体の材質の一つとして樹脂シ−ト不織布の繊維組成の一例を挙げたが、これに限定するものではなく、さらに、アルミニウム板は、熱融着させる12μｍの厚さのものを示したが、勿論これに限定するものではなく、竹炭板曲面に接着でき、電磁波反射性が充分なものであればよい。
【００２５】
さらに本考案は、先述した「考案を解決するための手段」でのべたとおり、従来の黒鉛による製作・加工が困難な問題を回避でき、人体への馴染みも良好となるので、特に家庭内で使用する電気器具等の防護具として、健康管理上からも、優れた効果が期待できる。
【００２６】
なお、本考案は、上記実施例に限らず、アルミニウム板は、板体に限定するものではなく、防護具使用上の条件によっては、薄いシ−ト状のいわば箔としても同様な効果が期待できる。
【産業上の利用可能性】
【００２７】
本考案は、電磁波透過防止効果を奏する防護具に用いる積層体とするものであるので、パソコンに用いて周辺機器への不用輻射を防ぐ防護具に限らず、その他に例えば、人体に有害な電磁波から護る必要がある家庭電化品・電気器具類より有害なな輻射を防ぐ防護具等にも適用できる。
【図面の簡単な説明】
【００２８】
【図１】本考案の一実施例を示す電磁波透過防止積層板の上面図。
【図２】図１のＡ―Ａ線切断を示す電磁波透過防止積層板の断面図。
【図３】図１のＢ―Ｂ線切断を示す電磁波透過防止積層板の断面図。
【図４】身体保護部位４に密着可能な竹炭板の凹面、凸面を設定した電磁波透過防止積層板の断面図。
【符号の説明】
【００２９】
１ａ、１ｂ      ：熱可塑性樹脂シ−ト（不織布）
１ａ’、１ｂ’  ：接着代部分
２ａ、２ｂ、２ｃ：竹炭板
３：電磁波反射性金属板[アルミニウム板（箔）、アルミニウム合金網体(合金網箔)]
４：身体保護部位
【図１】
0003103959.tif 000002
【図２】
0003103959.tif 000003
【図３】
0003103959.tif 000004
【図４】
0003103959.tif 000005